(57)【要約】【課題】送信側モジュールからのビデオデータのビデオフォーマット変更直後から受信側モジュールにおいて切れ目無くビデオデータを取得する。【解決手段】第１のビデオフォーマットのビデオデータを第１の伝送フォーマットの有効データ領域に配置して送信すると共に、前記第１のビデオフォーマットとは異なる第２のビデオフォーマットのビデオデータを前記第１の伝送フォーマットの有効データ領域内の実効有効データ領域に配置して送信可能なデータ送信モジュール１１と、前記データ送信モジュールから前記第１の伝送フォーマットで送信されたデータを受信し、前記有効データ領域内の前記第２のビデオフォーマットのビデオデータを取得するデータ受信モジュール１２とを具備したことを特徴とする。【選択図】図１
2010098539.tif 000002
【特許請求の範囲】
【請求項１】
第１のビデオフォーマットのビデオデータを第１の伝送フォーマットの有効データ領域に配置して送信すると共に、前記第１のビデオフォーマットとは異なる第２のビデオフォーマットのビデオデータを前記第１の伝送フォーマットの有効データ領域内の実効有効データ領域に配置して送信可能なデータ送信モジュールと、
前記データ送信モジュールから前記第１の伝送フォーマットで送信されたデータを受信し、前記有効データ領域内の前記第２のビデオフォーマットのビデオデータを取得するデータ受信モジュールと
を具備したことを特徴とするビデオデータ送受信装置。
【請求項２】
前記データ受信モジュールは、前記実効有効データ領域の情報に基づいて、前記実効有効データ領域に配置された前記第２のビデオフォーマットのビデオデータを取得することを特徴とする請求項１に記載のビデオデータ送受信装置。
【請求項３】
前記データ送信モジュールは、前記実効有効データ領域の情報を、前記第１の伝送フォーマットのブランキング領域に配置して送信することを特徴とする請求項１又は２に記載のビデオデータ送受信装置。
【請求項４】
前記データ送信モジュールは、
前記第２のビデオフォーマット及び前記第１の伝送フォーマットに基づいて、前記実効有効データ領域を算出する実効有効データ領域サイズ算出部と、
算出された前記実効有効データ領域に基づいて前記第２のビデオフォーマットのビデオデータを前記第１の伝送フォーマット上に配置して送信するビデオデータ生成部と
を具備したことを特徴とする請求項１乃至３のいずれか１つに記載のビデオデータ送受信装置。
【請求項５】
前記実効有効データ領域の情報は、複数の前記実効有効データ領域に対応した情報であることを特徴とする請求項１乃至４のいずれか１つに記載のビデオデータ送受信装置。
【発明の詳細な説明】
【技術分野】
【０００１】
本発明は、特定の情報が重畳されて入力されるビデオデータ信号を受信するビデオデータ受信装置に関する。
【背景技術】
【０００２】
一般的に、ビデオデータのバス伝送においては、ビデオデータ及びクロックの他に、水平同期信号、垂直同期信号、フィールド位相信号やデータイネーブル信号が伝送されることがある。このようなビデオデータの伝送規格としては、SMPTE 274M、SMPTE 296M、ITU-R BT.656等が知られている。
【０００３】
これらの伝送規格では、ビデオデータは、フレーム又はフィールド内の左上の画素からラスタースキャンの順序で、１クロック毎に１画素分ずつ伝送される。また、ラスタースキャンに同期して水平及び垂直同期信号がアサートされる。
【０００４】
ところで、ＩＳＤＢ(Integrated Services Digital Broadcasting) 規格では、種々のビデオフォーマットが規格化されている。例えば、日本のジデタル地上波放送では、ＳＤ(Standard Definition)フォーマットとして、７２０×４８０ｉ及び７２０×４８０ｐがあり、ＨＤ(High Definition)フォーマットとして１９２０×１０８０ｉ、１４４０×１０８０ｉ、１２８０×７２０ｐ及び１４４０×１０８０ｐ等がある。
【０００５】
バス伝送の送信側モジュールは、これらのビデオフォーマットに応じて、伝送する同期信号の周期及び位置や有効データ領域の位置を変化させる。即ち、ビデオ伝送における伝送フォーマットは、ビデオフォーマットに応じたものになっている。受信側モジュールは、同期信号を抽出することで、伝送フォーマットを把握して、伝送フォーマットに応じた処理、即ち、ビデオフォーマットに応じた同期処理、有効データ抽出処理等を行うことができる。
【０００６】
また、伝送するビデオデータのビデオフォーマットの変更に伴う有効データ領域の変更の情報を、ビデオデータの伝送路とは異なる伝送路を用いて別途伝送する手法も考えられる。送信側モジュールやそれを含むＬＳＩ及び受信側モジュールやそれを含むＬＳＩは、ほとんどの場合、それらを制御するための各種バス、例えば、ＰＣＩバスやプロセッサバスに接続されている。この場合には、送信側モジュールで得られた有効データ領域の情報を、このバスを介して受信側モジュールに伝えることができる。
【０００７】
受信側モジュールは、このような有効データ領域の情報を受信することで、簡単に有効データの抽出を行うことができる。しかしながら、有効データ領域についての情報とビデオデータとは異なる伝送路を介して伝送されるので、ビデオフォーマットの変更に伴う有効データ領域の変更があっても、有効データ領域の抽出設定をフォーマット変更と同時に変更することができないことがあり、ビデオフォーマット変更直後においては正常なビデオ出力が得られないことがある。
【０００８】
特許文献１においては、第１の映像信号から第２の映像信号に表示が切換る場合に、第２の映像信号の表示のための信号処理が終了するまで、切換後も第１の映像信号を表示モジュールに出力する装置が開示されている。これにより、特許文献１においては、スムーズな映像の切換えを可能にしている。
【０００９】
しかしながら、ビデオフォーマット変更直後においては、受信側モジュールにおいて、ビデオフォーマット変更直後のビデオデータを取得することはできない。
【特許文献１】特開２００７−１３４６４号公報
【発明の開示】
【発明が解決しようとする課題】
【００１０】
本発明は、送信側モジュールからのビデオデータのビデオフォーマット変更直後から受信側モジュールにおいて切れ目無くビデオデータを取得することができるビデオデータ送受信装置を提供することを目的とする。
【課題を解決するための手段】
【００１１】
本発明の一態様に係るビデオデータ送受信装置は、第１のビデオフォーマットのビデオデータを第１の伝送フォーマットの有効データ領域に配置して送信すると共に、前記第１のビデオフォーマットとは異なる第２のビデオフォーマットのビデオデータを前記第１の伝送フォーマットの有効データ領域内の実効有効データ領域に配置して送信可能なデータ送信モジュールと、前記データ送信モジュールから前記第１の伝送フォーマットで送信されたデータを受信し、前記有効データ領域内の前記第２のビデオフォーマットのビデオデータを取得するデータ受信モジュールとを具備したことを特徴とする。
【発明の効果】
【００１２】
本発明によれば、送信側モジュールからのビデオデータのビデオフォーマット変更直後から受信側モジュールにおいて切れ目無くビデオデータを取得することができるという効果を有する。
【発明を実施するための最良の形態】
【００１３】
以下、図面を参照して本発明の実施の形態を詳細に説明する。
【００１４】
（第１の実施の形態）
図１は本発明の第１の実施の形態に係るビデオデータ送受信装置を示すブロック図である。また、図２はビデオデータのフォーマットを表示に対応させて表現した説明図である。
【００１５】
本実施の形態においては、本件出願人が先に出願した特願２００７−３４０７８８号を利用する。この提案においては、伝送するビデオデータのブランキング期間に有効データ領域情報を重畳する。図２はこれを説明するためのものである。図２の例は、１９２０×１０８０ｉのビデオデータを示している。１９２０×１０８０ｉのビデオデータは、１フレームは１９２０×５４０の２フィールドで構成され、図２は１つのフィールドを示している。
【００１６】
なお、本実施の形態においては、特願２００７−３４０７８８号を利用する例について説明するが、有効データ領域情報の伝送が可能であれば、特願２００７-３４０７８８号の提案以外の方法を用いてもよい。
【００１７】
ビデオフォーマットは、水平及び垂直画素数、水平及び垂直有効画素数、走査方式によって規定される。ビデオデータには、表示モジュールの帰線処理等のために、表示に無効な期間が必要である。図２では斜線によってこの無効期間の領域（ブランキング領域）２２を示している。図２の無地部分は、表示に有効な画素の期間である有効データ領域２１を示している。受信側モジュールでは、伝送されるビデオデータのうち有効データ領域２１に対応するデータのみを取り出せばよい。
【００１８】
そこで、有効データ領域２１に先立って伝送されるブランキング領域において、有効データ領域２１に関する情報である有効データ領域情報２３を含めて伝送する。受信側モジュールでは、有効データ領域２１のデータの受信前に有効データ領域２１に関する情報を取得することができる。これにより、伝送するビデオデータのビデオフォーマットが変化して有効データ領域２１が変化する場合でも、比較的短時間に受信側の設定をビデオフォーマットに応じて再設定することができ、シームレスな表示を可能にしている。
【００１９】
なお、有効データ領域情報２３としては、例えば図２における有効データ領域２１を確定することが可能となる有効データ領域２１の左上の始点（先頭）の座標位置と右下の終点の座標位置の両座標位置情報を用いることができる。
【００２０】
この有効データ領域情報２３は、その１例として、このような２つの座標位置の組み合わせで表せる。有効データ領域２１が複数となる場合もこの組み合わせを、有効データ領域２１の個数分用意し、重畳する情報の位置や仕様を送信及び受信側とで合わせる（整合させる）ようにしておけばよい。
【００２１】
また、図２の例では、水平方向が２２００画素、垂直方向が５６３画素の第１フィールドの場合の例で有効データ領域情報２３の位置を示しているが、他のビデオフォーマットの場合にも共通となる所定位置、つまりいずれのビデオフォーマットにおいても所定位置が変わらない固定された位置に設定すると、その有効データ領域情報２３の検出が容易となる。
【００２２】
更に、本実施の形態においては、伝送するビデオデータのビデオフォーマットが変更される場合でも、伝送フォーマットの変更を抑制することで、受信側モジュールにおいて、ビデオデータの取得を一層容易にしている。伝送フォーマットが変化した場合には、送受信モジュールにおいて設定変更が必要となり、また受信側モジュールでは、送信されたビデオデータを取得するために、同期信号の再検出が必要となってしまう。そこで、本実施の形態においては、送信するビデオデータのビデオフォーマットが変化する場合でも、伝送フォーマットを変化させないように工夫する。
【００２３】
図３乃至図１０はこれを説明するためのものである。なお、図３乃至図１０において、(  )内の数字はライン番号を示し、斜線部はブランキング領域を示している。
【００２４】
フレーム又はフィールド周波数が同一である場合、変更後のビデオフォーマットの有効データ領域サイズ（水平及び垂直有効画素数）が変更前の有効データ領域サイズに完全に包含される限りは、伝送フォーマットを変更することなく、有効データ領域のみを変更することで、異なるビデオフォーマットのビデオデータを同一の伝送フォーマットで伝送可能である。
【００２５】
図３及び図４は夫々１９２０×１０８０ｉのビデオフォーマット又は伝送フォーマットを表示に対応させて表現した説明図である。１９２０×１０８０ｉビデオフォーマットは、水平及び垂直有効画素数が、図３に示すように１９２０×５４０であり、ブランキング領域を含めた水平及び垂直画素数が、図４に示すように２２００×５６３（又は５６２）である。送信側モジュールから受信側モジュールへのビデオデータの伝送時にはブランキング領域を含んで伝送するので、図４が１９２０×１０８０ｉの伝送フォーマットを示すものとなる。
【００２６】
また、図５及び図６は夫々７２０×４８０ｐのビデオフォーマット又は伝送フォーマットを表示に対応させて表現した説明図である。７２０×４８０ｐの水平及び垂直有効画素数は、図５に示すように７２０×４８０であり、伝送フォーマットは、図６に示すように、ブランキング領域を含む水平及び垂直画素数８５８×５２５のサイズとなる。
【００２７】
仮に、１９２０×１０８０ｉのビデオデータから７２０×４８０ｐのビデオデータにビデオフォーマットの切換えが発生するものとする。この場合でも、１９２０×１０８０ｉの水平及び垂直有効画素数は１９２０×５４０であり、７２０×４８０ｐの水平及び垂直有効画素数は７２０×４８０であるので、１９２０×１０８０ｉの有効データ領域内に７２０×４８０ｐの有効データ領域が完全に包含される。
【００２８】
そこで、本実施の形態においては、７２０×４８０ｐの有効データ領域のデータを１９２０×１０８０ｉの伝送フォーマットの有効データ領域を用いて伝送する。即ち、この場合には、１９８０×１０８０ｉの伝送フォーマットを変更することなく、１９２０×１０８０ｉのビデオデータから７２０×４８０ｐのビデオデータに切換えることが可能となる。
【００２９】
図７はこの場合における伝送データを画面表示に対応させて表現した説明図である。１９２０×１０８０ｉの伝送フォーマットにおいて１９２０×１０８０ｉの有効データ領域内に、７２０×４８０ｐの有効データ領域のデータが配置されている。
【００３０】
しかしながら、ビデオフォーマットの変更前の有効データ領域サイズが変更後の有効データ領域サイズを包含しないことがある。図８及び図９は夫々１２８０×７２０ｐのビデオフォーマット又は伝送フォーマットを表示に対応させて表現した説明図である。１２８０×７２０ｐの水平及び垂直有効画素数は、図８に示すように１２８０×７２０であり、伝送フォーマットは、図９に示すように、ブランキング領域を含む水平及び垂直画素数１６５０×７５０のサイズとなる。
【００３１】
いま、１９２０×１０８０ｉのビデオデータから１２８０×７２０ｐのビデオデータにビデオフォーマットの切換えが発生するものとする。この場合には、１９２０×１０８０ｉの水平及び垂直有効画素数は１９２０×５４０であり、１２８０×７２０ｐの水平及び垂直有効画素数は１２８０×７２０であるので、垂直有効画素数が多い分、１２８０×７２０ｐの有効データ領域は、１９２０×１０８０ｉの有効データ領域内に包含されない。しかし、有効画素の総数は１９２０×１０８０ｉの方が１２８０×７２０ｐよりも大きい。
【００３２】
そこで、本実施の形態においては、１９２０×１０８０ｉの有効データ領域内の１ライン分の領域に１２８０×７２０ｐの有効データ領域内の１．５ライン分のデータを配置する。
【００３３】
図１０はこの場合における伝送データを画面表示に対応させて表現した説明図である。１９２０×１０８０ｉの伝送フォーマットにおいて１９２０×１０８０ｉの有効データ領域内の４８０ライン分の領域に、１２８０×７２０ｐの有効データ領域のデータが配置されている。
【００３４】
次に、このようなビデオデータの送受信を実現するための装置を説明する。
【００３５】
図１において、ビデオデータ送受信装置１は、データ送信モジュール１１及びデータ受信モジュール１２によって構成されている。データ送信モジュール１１は、ビデオデータ信号、クロック信号、水平同期信号、垂直同期信号及びフィールドインデックス信号をデータ受信モジュールに出力する。なお、ビデオデータに同期信号が重畳される場合には、水平同期信号、垂直同期信号、フィールドインデックス信号の全て、あるいはいずれかが無い場合もある。
【００３６】
データ送信モジュール１１は、図示しないメモリ（以下、送信側メモリという）等の記憶装置からビデオデータを読み出し、伝送フォーマットに従って適切なタイミングで出力する。なお、データ送信モジュール１１は、ビデオデータを、フレーム又はフィールド内の左上の画素からラスタースキャンの順序で、１クロック毎に１画素分ずつ伝送する。また、ラスタースキャンに同期して水平及び垂直同期信号をアサートする。
【００３７】
データ受信モジュール１２は、データ送信モジュール１１からのビデオデータを受信し、有効データ領域を抽出し、後段の図示しないビデオ処理モジュールやメモリ（以下、受信側メモリという）等の記憶装置に供給する。
【００３８】
図１１は図１中のデータ送信モジュールの具体的な構成を示すブロック図である。全体制御部３１はデータ送信モジュール１１全体の制御を行うブロックである。全体制御部３１は入力されるビデオデータのビデオフォーマットに関する情報であるビデオフォーマット情報を実効有効データ領域サイズ算出部３２に出力する。また、全体制御部３１は、それまでのビデオデータの伝送に用いている伝送フォーマット情報についても、実効有効データ領域サイズ算出部３２及び同期制御部３３に出力する。
【００３９】
同期制御部３３は、入力された伝送フォーマット情報に基づいて出力ビデオデータ信号の各画素の画素位置の情報である画素位置情報を生成して、有効データ判定部３７に出力する。有効データ判定部３７は、後述するように、各画素位置毎に、有効データ領域内のデータとするかブランキング領域のデータとするかを示す選択信号を出力する。また、同期制御部３３は、伝送フォーマット情報に基づいて、垂直同期信号、水平同期信号及びフィールドインデックス信号を生成し、データ受信モジュール１２との接続形態に応じてこれらを伝送フォーマット情報の一部として出力する。
【００４０】
実効有効データ領域サイズ算出部３２は、ビデオフォーマット情報及び伝送フォーマット情報に基づいて実効有効データ領域サイズ情報を生成する。実効有効データ領域サイズ情報は、入力ビデオデータの有効データ領域のデータを伝送フォーマットの有効データ領域に配置する場合に、実効的な有効データ領域のサイズを示す情報である。例えば、上述した図１０の例では、実効有効データ領域サイズは１９２０×４８０である。
【００４１】
図１２は図１１中の実効有効データ領域サイズ算出部３２の具体的な構成を示すブロック図である。
【００４２】
全体制御部３１からのビデオフォーマット情報はビデオフォーマットサイズ算出部４１に供給される。また、全体制御部３１からの伝送フォーマット情報は有効データ領域サイズ算出部４２に供給される。ビデオフォーマットサイズ算出部４１は、入力ビデオデータの有効データ領域のサイズ（以下、入力有効データ領域サイズという）を算出して有効データ領域サイズ変換部４３、選択信号生成部４４及び選択部４５に出力する。例えば、図８の１２８０×７２０ｐのビデオデータの場合には、ビデオフォーマットサイズ算出部４１は、入力有効データ領域サイズとして１２８０×７２０を出力する。
【００４３】
有効データ領域サイズ算出部４２は、伝送フォーマットの有効データ領域サイズ（以下、伝送有効データ領域サイズという）を算出して、有効データ領域サイズ変換部４３及び選択信号生成部４４に出力する。例えば、図４の１９２０×１０８０ｉの伝送フォーマットの場合には、有効データ領域サイズ算出部４２は、伝送有効データ領域サイズとして１９２０×５４０を出力する。
【００４４】
有効データ領域サイズ変換部４３は、ビデオフォーマットの入力有効データ領域サイズと伝送フォーマットの伝送有効データ領域サイズとに基づいて、ビデオデータを伝送フォーマットの有効データ領域に配置した場合の実効的な有効データ領域サイズである変換有効データ領域サイズを算出する。例えば、図８の１２８０×７２０ｐのビデオデータを図４の１９２０×５４０の有効データ領域に配置する場合には、変換有効データ領域サイズの一例として１９２０×４８０が得られる。
【００４５】
選択部４５には、入力ビデオデータのビデオフォーマットに基づく入力有効データ領域サイズとビデオフォーマット及び伝送フォーマットに基づく変換有効データ領域サイズとが入力される。選択信号生成部４４は、入力有効データ領域サイズと伝送有効データ領域サイズとの大きさを垂直画素数で比較し、入力有効データ領域サイズが伝送有効データ領域サイズよりも小さい場合には選択部４５に入力有効データ領域サイズを選択させ、大きい場合には選択部４５に変換有効データ領域サイズを選択させる。選択部４５は選択信号生成部４４に制御されて、選択したサイズの情報を実効有効データ領域サイズ情報として出力する。
【００４６】
例えば、１９２０×１０８０ｉの伝送フォーマットを用いて、７２０×４８０ｐのビデオデータ又は１２８０×７２０ｐのビデオデータを伝送する場合には、下記表１に示す選択が行われる。
【００４７】
表１
2010098539.tif 000003
図１１において、ビデオデータ入力インターフェース（Ｉ／Ｆ）部３４は、実効有効データ領域サイズ算出部３２からの実効有効データ領域サイズ情報に基づいて、送信側メモリ等の記憶装置、あるいは前段の処理モジュールに必要に応じてデータ転送要求を送出し、ビデオデータの供給を受けてビデオデータ処理部３５に出力する。
【００４８】
ビデオデータ処理部３５は、入力されたビデオデータに、必要に応じてフィルタ処理等を施した後、ビデオデータ生成部３６に出力する。また、ブランキングデータ生成部３８は、伝送フォーマット情報に基づくブランキングデータを生成してビデオデータ生成部３６に出力する。なお、ブランキングデータ生成部３８は、図２に示す有効データ領域情報として実効有効データ領域サイズ情報をブランキングデータに含ませて出力する。
【００４９】
有効データ判定部３７は、同期制御部３３からの画素位置情報と、実効有効データ領域サイズ算出部３２からの実効有効データ領域サイズ情報とに基づいて、実効有効データ領域を判定し、判定結果を選択信号としてビデオデータ生成部３６に出力する。
【００５０】
ビデオデータ生成部３６は、有効データ判定部３７からの選択信号を用いて、ブランキングデータ生成部３８からのブランキングデータと、ビデオデータ処理部３５からのビデオデータとを伝送フォーマットに基づいて選択して、ビデオデータ信号として出力する。
【００５１】
こうして、データ送信モジュール１１からは、入力ビデオデータの入力有効データ領域サイズと異なる伝送有効データ領域サイズを有する伝送フォーマットを用いて、ビデオデータを伝送することが可能である。これにより、入力ビデオデータのビデオフォーマットが変化する場合でも、伝送フォーマットを変更することなくビデオデータの送信が可能である。また、伝送フォーマット上の実効有効データ領域サイズの情報をブランキング領域に重畳して伝送するので、受信側において、この情報を元に有効データ領域のデータの取得を容易に行える。
【００５２】
図１３は図１中のデータ受信モジュールの具体的な構成を示すブロック図である。
【００５３】
全体制御部５１はデータ受信モジュール１２全体の制御を行うブロックである。全体制御部５１は、データ送信モジュール１１の出力ビデオデータに用いた伝送フォーマット情報を保持している。また、全体制御部５１は、ビデオデータ信号のブランキング領域に多重された実効有効データ領域サイズ情報を取得する（図示省略）。
【００５４】
なお、実効有効データ領域情報は、ビデオデータと同時に、あるいは切り替わりのタイミング情報と一緒に前もって、データ送信モジュール１１からデータ受信モジュール１２に伝送する必要があり、本実施の形態においては特願２００７-３４０７８８号の提案による方法を採用した。他の方法によって実効有効データ領域サイズ情報を伝送してもよいことは明らかである。
【００５５】
全体制御部５１は、伝送フォーマット情報を同期検出部５２に出力し、実効有効データ領域サイズ情報を有効データ判定部５３に出力する。入力されたビデオデータは、同期検出部５２、有効データ抽出部５４に供給される。データ送信モジュール１１から水平同期信号、垂直同期信号及びフィールドインデックス信号が出力されている場合には、これらの信号も同期検出部５２に供給される。
【００５６】
同期検出部５２は、ビデオデータに重畳された同期信号、あるいは外部から入力された各種同期信号に基づいて、水平、垂直、フィールド位相の情報を検出し、現在入力されたビデオデータのフィールド、あるいはフレーム内での位置情報を求める。
【００５７】
有効データ判定部５３は、同期検出部５２で求めた位置情報、及び全体制御部５１からの実効有効データ領域サイズ情報に基づいて、フレーム内のビデオデータの有効性の判定を行い有効データフラグ情報を出力する。有効データ抽出部５４は、有効データ判定部５３からの有効データフラグ情報に基づいて、有効データの抽出を行ってビデオデータ出力インターフェース部５５に出力する。ビデオデータ出力インターフェース部５５は、有効データ領域のデータとして抽出されたビデオデータを、図示しない後段のビデオ処理モジュールや、受信側メモリ等の記憶装置に出力する。
【００５８】
なお、全体制御部５１は、受信したビデオデータを格納する受信側メモリ及びビデオ処理モジュール等に対して、実効有効データ領域サイズ情報及びビデオフォーマット情報等を出力することができるようになっている。例えば、実効有効データ領域サイズ情報を受信側メモリの読み出し回路に与えることで、受信側メモリからの読み出しを制御して、送信されたビデオフォーマットのビデオデータを復元することが可能である。
【００５９】
次に、このように構成された実施の形態の動作について図１４乃至図１８を参照して説明する。図１４は実施の形態の動作を説明するためのタイミングチャートであり、図１５、図１６及び図１８はビデオデータのメモリ格納を説明するためのタイミングチャートである。また、図１４は第Ｎ−１フレームまでのビデオデータ転送の一部を示すタイミングチャートであり、図１７は上段の１９２０×１０８０ｉのビデオデータと下段の１２８０×７２０ｐのビデオデータとの送信側メモリの格納を示す説明図である。これらの図において（  ）内の数字はライン数を示し、斜線部はブランキング領域を示している。
【００６０】
先ず、送信するビデオデータのビデオデータフォーマットが切換る場合において、変更後のビデオフォーマットの有効データ領域サイズが変更前の有効データ領域サイズに完全に包含される例について説明する。一例として、１９２０×１０８０ｉ（図３）のビデオフォーマットのビデオデータの送信から７２０×４８０ｐ（図５）のビデオフォーマットのビデオデータの送信に切換えるものとする。
【００６１】
図１４の第Ｎ−１フレームまでは１９２０×１０８０ｉのビデオデータの送信が行われ、次の第Ｎフレームからは７２０×４８０ｐのビデオデータの送信が行われる。これらのビデオデータの有効データ領域は、夫々１９２０×５４０（領域Ａ）、７２０×４８０（領域Ｂ）である。
【００６２】
第Ｎ−１フレームまでのビデオデータ転送については、図１５に示すように、ビデオフォーマットの各ラインは、伝送フォーマットの有効データ領域の各ラインと完全に一致している。
【００６３】
全体制御部３１は、１９２０×１０８０ｉのビデオデータの送信から７２０×４８０ｐのビデオデータの送信への切換えに際して、ビデオフォーマット情報として、１９２０×１０８０ｉの情報を実効有効データ領域サイズ算出部３２に出力する。また、全体制御部３１は、伝送フォーマット情報として図４に示す１９２０×１０８０ｉの情報を実効有効データ領域サイズ算出部３２及び同期制御部３３に出力する。同期制御部３３は、１９２０×１０８０ｉの伝送フォーマットに基づいて、水平同期信号、垂直同期信号、フィールドインデックス信号及び画素位置情報を出力する。
【００６４】
一方、実効有効データ領域サイズ算出部３２は、実効有効データ領域サイズ情報として、７２０×４８０を示す情報を出力する。ビデオデータ入力Ｉ／Ｆ部３４は、実効有効データ領域サイズ情報に基づいてビデオデータを取込み、ビデオデータ処理部３５に出力する。ビデオデータ処理部３５は入力されたビデオデータに所定の信号処理を施した後、ビデオデータ生成部３６に出力する。ブランキングデータ生成部３８は、実効有効データ領域サイズ情報を含むブランキング領域のデータを生成して、ビデオデータ生成部３６に出力する。
【００６５】
また、有効データ判定部３７は、画素位置情報と実効有効データ領域サイズ情報とに基づいて、伝送フォーマット上のサイズが７２０×４８０の有効データ領域を示す選択信号をビデオデータ生成部３６に出力する。ビデオデータ生成部３６は、選択信号に基づいて、ビデオデータ処理部３５の出力とブランキングデータ生成部３８の出力とを選択してビデオデータ信号を生成して出力する。
【００６６】
図１６はこの場合におけるビデオデータ転送のタイミングチャートである。７２０×４８０ｐのビデオデータは、１９２０×１０８０ｉの伝送フォーマットの有効データ領域中の実効有効データ領域サイズにおいて伝送される。図１６に示すように、１９２０×１０８０ｉの伝送フォーマットの有効データ領域の１９２０画素分の各ラインに、７２０×４８０ｐのビデオデータの１ライン分の７２０画素のデータが配置されて伝送される。こうして、図７に示すデータ伝送が行われる。
【００６７】
次に、送信するビデオデータのビデオデータフォーマットが切換る場合において、変更後のビデオフォーマットの有効データ領域サイズが変更前の有効データ領域サイズに完全には包含されない例について説明する。一例として、１９２０×１０８０ｉ（図３）のビデオフォーマットのビデオデータの送信から１２８０×７２０ｐ（図８）のビデオフォーマットのビデオデータの送信に切換えるものとする。
【００６８】
例えば、図１４の第Ｎ−１フレームまでは１９２０×１０８０ｉのビデオデータの送信が行われ、次の第Ｎフレームからは１２８０×７２０ｐのビデオデータの送信が行われるものとする。これらのビデオデータの有効データ領域は、夫々１９２０×５４０（領域Ａ）、１２８０×７２０（領域Ｂ）である。
【００６９】
図１７に示すように、送信側メモリに格納されている１９２０×１０８０ｉのビデオデータの２画素分のデータ量と１２８０×７２０ｐのビデオデータの３画素分のデータ量とが一致する。
【００７０】
全体制御部３１は、１９２０×１０８０ｉのビデオデータの送信から１２８０×７２０ｐのビデオデータの送信への切換えに際して、ビデオフォーマット情報として、１９２０×１０８０ｉの情報を実効有効データ領域サイズ算出部３２に出力する。また、全体制御部３１は、伝送フォーマット情報として図８に示す１２８０×７２０ｐの情報を実効有効データ領域サイズ算出部３２及び同期制御部３３に出力する。同期制御部３３は、１９２０×１０８０ｉの伝送フォーマットに基づいて、水平同期信号、垂直同期信号、フィールドインデックス信号及び画素位置情報を出力する。
【００７１】
一方、実効有効データ領域サイズ算出部３２は、図１２に示すように、ビデオデータに基づく入力有効データ領域サイズ情報と伝送フォーマットに基づく伝送有効データ領域サイズ情報とを求める。有効データ領域サイズ変換部４３は、変換有効データ領域サイズとして１９２０×４８０を算出してその情報を選択部４５に出力する。この場合には、選択部４５は選択信号生成部４４の出力に基づいて変換有効データ領域サイズ情報を実効有効データ領域サイズ情報として出力する。
【００７２】
こうして、実効有効データ領域サイズ算出部３２からは、１９２０×４８０の実効有効データ領域サイズを示す情報がビデオデータ入力Ｉ／Ｆ部３４及び有効データ判定部３７に出力される。ビデオデータ入力Ｉ／Ｆ部３４は、実効有効データ領域サイズ情報に基づいてビデオデータを取り込む。即ち、この場合には、送信側メモリには図１７の下段に示すように、１ライン分が１２８０画素として記憶されているのに対し、データ入力Ｉ／Ｆ部３４による送信側メモリからの読み出しは１２８０画素ではなく１９２０画素をひとつの単位、つまり１ライン分として扱われる。
【００７３】
ビデオデータ生成部３６には、１９２０×４８０の実効有効データ領域サイズ情報に基づいて取り込まれたビデオデータが入力される。また、ブランキングデータ生成部３８は、実効有効データ領域サイズ情報を含むブランキング領域のデータを生成して、ビデオデータ生成部３６に出力する。
【００７４】
有効データ判定部３７は、伝送フォーマット上のサイズが１９２０×４８０の有効データ領域を示す選択信号をビデオデータ生成部３６に出力する。ビデオデータ生成部３６は、選択信号に基づいて、ビデオデータ処理部３５の出力とブランキングデータ生成部３８の出力とを選択してビデオデータ信号を生成して出力する。
【００７５】
図１８はこの場合におけるビデオデータ転送のタイミングチャートである。１２８０×７２０ｐのビデオデータは、１９２０×１０８０ｉの伝送フォーマットの有効データ領域中の１９２０×４８０の実効有効データ領域サイズにおいて伝送される。即ち、図１０に示すように、１９２０×１０８０ｉの伝送フォーマットの有効データ領域の１９２０画素分の各ラインに、１２８０×７２０ｐのビデオデータの１．５ライン分の（１２８０＋６４０）画素分のデータが配置されて伝送される。
【００７６】
次に、データ受信モジュール１２の動作について説明する。いま、データ送信モジュール１１から、図１４の第Ｎ−１フレームまでにおいて１９２０×１０８０ｉのビデオデータが送信され、第Ｎフレームから図１８に示すデータ、即ち、１９２０×１０８０ｉの伝送フォーマットによって１２８０×７２０ｐのビデオデータが送信された場合の動作について説明する。
【００７７】
全体制御部５１は、第Ｎ−１フレームまでのビデオデータの伝送に用いた伝送フォーマット情報を保持している。また、全体制御部５１は、第Ｎフレームの有効データ領域のビデオデータの受信前に、ブランキング領域に多重された実効有効データ領域サイズ情報を取得する。
【００７８】
全体制御部５１は、伝送フォーマット情報を同期検出部５２に出力し、実効有効データ領域サイズ情報を有効データ判定部５３に出力する。入力されたビデオデータは、同期検出部５２、有効データ抽出部５４に供給される。同期検出部５２は、ビデオデータに重畳された同期信号に基づいて、水平、垂直、フィールド位相の情報を検出し、現在入力されたビデオデータのフィールド、あるいはフレーム内での位置情報を求める。
【００７９】
有効データ判定部５３は、同期検出部５２で求めた位置情報、及び全体制御部５１からの実効有効データ領域サイズ情報に基づいて、フレーム内のビデオデータの有効性の判定を行い有効データフラグ情報を出力する。有効データ抽出部５４は、有効データ判定部５３からの有効データフラグ情報に基づいて、有効データの抽出を行ってビデオデータ出力インターフェース部５５に出力する。
【００８０】
即ち、この場合には、１９２０×１０８０ｉの伝送フォーマットのうち、実効有効データ領域サイズ情報によって与えられる１９２０×４８０の領域のデータが抽出される。抽出されたビデオデータは、ビデオデータ出力インターフェース部５５を介して図示しない後段のビデオ処理モジュールや、受信側メモリ等の記憶装置に出力される。こうして、データ受信モジュール１２において、１２８０×７２０ｐのビデオデータを取得することができる。
【００８１】
データ受信モジュール１２において、有効データ領域のデータの抽出のための設定としては、有効データ判定を行うための実効有効データ領域サイズ情報の切換えのみである。従って、図１４に示すように、送信側のビデオフォーマットの変更直後に、受信側において設定変更を行って、シームレスにビデオデータの受信が可能である。
【００８２】
なお、ビデオデータ出力インターフェース部５５からのビデオデータを図示しない受信側メモリの例えば連続したアドレスに格納することで、図１７に示す送信側と同様に１２８０×７２０ｐのビデオデータとして記憶させることができる。なお、図１７では、ビデオデータを受信側メモリの連続領域に格納している。この方が受信側メモリへのデータアクセスが容易であるという長所があるが、あくまでも一例であり必ずしも連続領域である必要はない。
【００８３】
なお、全体制御部５１は、実効有効データ領域サイズ情報及びビデオフォーマット情報等を出力することができる。実効有効データ領域サイズ情報を受信側メモリの読み出しに用いることで、送信されたビデオフォーマットのビデオデータを復元することが可能である。
【００８４】
このように本実施の形態においては、伝送するビデオデータのビデオフォーマットが変更される場合でも、変更前の伝送フォーマットを用いて変更後のビデオデータを伝送すると共に、ビデオデータを配置する実効有効データ領域サイズ情報を求めて受信側に伝送する。これにより、受信側において、フォーマット変更に伴う設定変更を短時間に行うことができ、受信側においてシームレスに異なるビデオフォーマットのビデオデータを受信することができる。
【００８５】
（第２の実施の形態）
図１９は本発明の第２の実施の形態を示すブロック図である。図１９において図１３と同一の構成要素には同一符号を付して説明を省略する。本実施の形態は全体制御部５１に代えて全体制御部５１’を採用したデータ受信モジュール１２’を用いた点が第１の実施の形態と異なる。
【００８６】
全体制御部５１’は、実効有効データ領域サイズ情報に代えて伝送有効データ領域サイズ情報を有効データ判定部５３に出力する点が全体制御部５１と異なるのみである。有効データ判定部５３は、画素位置情報及び伝送有効データ領域サイズ情報に基づいて有効データフラグ情報を生成する。
【００８７】
第１の実施の形態においては、データ送信モジュール１１（図１参照）から送信された実効有効データ領域サイズ情報を用いて、抽出する有効データの判定を行った。しかし、有効データ領域のデータを単に抽出するのみであれば、必ずしも実効有効データ領域サイズ情報は必要ではない。なお、伝送有効データ領域サイズ情報は、伝送フォーマット情報から取得することができるので、データ送信モジュール１１において、データ受信モジュール１２’に対して、有効データ領域に関する情報を送信する必要はない。
【００８８】
次に、このように構成された実施の形態の動作について図２０を参照して説明する。図２０は上段の１９２０×１０８０ｉのビデオデータと下段の１２８０×７２０ｐのビデオデータとのメモリの格納を示す説明図である。
【００８９】
いま、データ送信モジュール１１から、１９２０×１０８０ｉのビデオデータの送信に続けて、図１８に示すデータ、即ち、１９２０×１０８０ｉの伝送フォーマットによって１２８０×７２０ｐのビデオデータが送信された場合の動作について説明する。
【００９０】
図１８に示すデータは、図１０に示すように、１２８０×７２０ｐの有効データ領域のデータが１９２０×４８０の実効有効データ領域に配置されている。本実施の形態においては、有効データ判定部５３は、伝送有効データ領域サイズ情報を用いて有効データを判定する。即ち、１２８０×７２０ｐのビデオデータが図１０に示すように配置されているのに対し、有効データ領域のデータの抽出は、図４に示す通常の１９２０×１０８０ｉの伝送フォーマットとして扱う。
【００９１】
従って、ビデオデータ出力インターフェース部５５からのビデオデータを受信側メモリに格納すると、図２０の下段に一例を示すデータ格納が行われる。なお、図２０の上段は、１９２０×１０８０ｉのビデオデータをメモリに格納する場合の格納例を示している。
【００９２】
図２０に示すように、受信側メモリへの格納は１９２０×１０８０ｉのビデオフォーマットとして１９２０×５４０画素の領域に書き込まれる。この１９２０×５４０画素の領域には、１２８０×７２０ｐのビデオデータの有効データ領域の全データが含まれている。こうして、データ受信モジュール１２’において１２８０×７２０ｐのビデオデータを受信可能である。
【００９３】
なお、本実施の形態によって受信側メモリに格納されたビデオデータには、図２０の下段に示すように、１２８０×７２０ｐのビデオデータの有効データ領域の全データの他に不要なデータが含まれる。そこで、後段のモジュールで受信側メモリから読み出す前に、データ送信モジュールから実の有効データ領域サイズ情報をデータ受信モジュール１２’に伝送する。図２０の例では、実の有効データ領域サイズは１２８０×７２０である。この実の有効データ領域サイズ情報を用いることで、１９２０×５４０画素の領域のうちの有効データが格納されている１９２０×４８０画素領域を１２８０×７２０画素として読み出して、受信側メモリに格納された不要なデータを除去し、１２８０×７２０ｐのビデオフォーマットとして再現が可能となる。
【００９４】
このように、本実施の形態においても第１の実施の形態と同様の効果を得ることができる。
【００９５】
（変形例）
図２１乃至図２５は第１変形例を示す図である。図１１の実効有効データ領域サイズ算出部３２からの実効有効データ領域サイズ情報は、実効有効データ領域の水平及び垂直画素数だけでなく、実効有効データ領域が伝送フォーマット中の有効データ領域内のいずれの領域に配置されるかを示す情報を含む。
【００９６】
第１変形例は、７２０×５７６ｐのビデオフォーマットのデータを１９２０×１０８０ｉの伝送フォーマットで送信する例である。図２１及び図２２は夫々７２０×５７６ｐのビデオフォーマット又は伝送フォーマットを表示に対応させて表現した説明図である。７２０×５７６ｐビデオフォーマットは、水平及び垂直有効画素数が、図２１に示すように７２０×５７６であり、ブランキング領域を含めた水平及び垂直画素数が、図２２に示すように８６４×６２５である。
【００９７】
図２３は７２０×５７６ｐのビデオデータのメモリ格納を示す説明図である。また、図２４は第１変形例における伝送データを画面表示に対応させて表現した説明図である。７２０×５７６ｐのビデオデータを１９２０×１０８０ｉの伝送フォーマットを用いて送信するので、データ送信モジュール１１のビデオデータ入力Ｉ／Ｆ部３４による送信側メモリからの読み出しは、７２０画素単位ではなく、７２０画素２ライン分となる１４４０画素をひとつの単位、つまり１ライン分として扱う。
【００９８】
こうして、ビデオデータ生成部３６は、１９２０×１０８０ｉの伝送フォーマット上で、７２０×５７６ｐのビデオデータの有効データ領域のデータを配置する。この場合には、実効有効データ領域サイズ算出部３２は、伝送フォーマット上の有効データ領域のラインの途中に実効有効データ領域を配置させるための実効有効データ領域サイズ情報を出力する。これにより、７２０×５７６ｐのビデオデータの有効データ領域のデータは、図２４に示すように、伝送フォーマット上の有効データ領域内の中央の位置に配置される。
【００９９】
図２５はこの場合においてビデオデータ生成部３６から出力されるビデオデータを示すタイミングチャートである。７２０×５７６画素を１４４０×２８８画素に配置変更することで、７２０×５７６ｐのビデオデータを１９２０×１０８０ｉの伝送フォーマットに割り当てている。
【０１００】
データ受信モジュール１２，１２’においては、受信データを、例えば送信側と同様に、図２３のように受信側メモリに格納することで、７２０×５７６ｐのビデオフォーマットとして再現可能である。なお、図２３では、ビデオデータを受信側メモリの連続領域に格納している。この方が受信側メモリへのデータアクセスが容易であるという長所があるが、あくまでも一例であり必ずしも連続領域である必要はない。
【０１０１】
図２６及び図２７は第２変形例を示す図である。第２変形例は、図１１の実効有効データ領域サイズ算出部３２からの実効有効データ領域サイズ情報によって、実効有効データ領域が分割される例を示している。実効有効データ領域サイズ情報は、このような複数の実効有効データ領域を扱うことができる。図２６は第２変形例における伝送データを画面表示に対応させて表現した説明図である。
【０１０２】
第２変形例においても、７２０×５７６ｐのビデオフォーマットのデータを１９２０×１０８０ｉの伝送フォーマットで送信する例について説明する。７２０×５７６ｐのビデオデータの送信側メモリ格納及びビデオデータ入力Ｉ／Ｆ部３４による送信側メモリからの読み出しは、第１変形例と同様である。
【０１０３】
ビデオデータ生成部３６は、１９２０×１０８０ｉの伝送フォーマット上で、実効有効データ領域サイズ情報に基づいて７２０×５７６ｐのビデオデータの有効データ領域のデータを配置する。この場合には、実効有効データ領域サイズ算出部３２は、伝送フォーマット上の有効データ領域内に実効有効データ領域を分割配置するようための実効有効データ領域サイズ情報を出力する。これにより、７２０×５７６ｐのビデオデータの有効データ領域のデータは、図２６に示すように、伝送フォーマット上の有効データ領域内に分割配置される。
【０１０４】
図２７はこの場合においてビデオデータ生成部３６から出力されるビデオデータを示すタイミングチャートである。７２０×５７６画素を２つの７２０×２８８画素領域に分割して配置することで、７２０×５７６ｐのビデオデータを１９２０×１０８０ｉの伝送フォーマットに割り当てている。
【０１０５】
データ受信モジュール１２，１２’においては、受信データを、例えば送信側と同様に、図２３のように受信側メモリに格納することで、７２０×５７６ｐのビデオフォーマットとして再現可能である。なお、図２３では、ビデオデータを受信側メモリの連続領域に格納している。この方が受信側メモリへのデータアクセスが容易であるという長所があるが、あくまでも一例であり必ずしも連続領域である必要はない。
【図面の簡単な説明】
【０１０６】
【図１】本発明の第１の実施の形態に係るビデオデータ送受信装置を示すブロック図。
【図２】ビデオデータのフォーマットを表示に対応させて表現した説明図。
【図３】１９２０×１０８０ｉのビデオフォーマットを表示に対応させて表現した説明図。
【図４】１９２０×１０８０ｉの伝送フォーマットを表示に対応させて表現した説明図。
【図５】７２０×４８０ｐのビデオフォーマットを表示に対応させて表現した説明図。
【図６】７２０×４８０ｐの伝送フォーマットを表示に対応させて表現した説明図。
【図７】伝送データを画面表示に対応させて表現した説明図。
【図８】１２８０×７２０ｐのビデオフォーマットを表示に対応させて表現した説明図。
【図９】１２８０×７２０ｐの伝送フォーマットを表示に対応させて表現した説明図。
【図１０】伝送データを画面表示に対応させて表現した説明図。
【図１１】図１中のデータ送信モジュールの具体的な構成を示すブロック図。
【図１２】図１１中の実効有効データ領域サイズ算出部３２の具体的な構成を示すブロック図。
【図１３】図１中のデータ受信モジュールの具体的な構成を示すブロック図。
【図１４】実施の形態の動作を説明するためのタイミングチャート。
【図１５】ビデオデータ転送のタイミングチャート。
【図１６】ビデオデータ転送のタイミングチャート。
【図１７】１９２０×１０８０ｉのビデオデータと１２８０×７２０ｐのビデオデータとのメモリの格納を示す説明図。
【図１８】ビデオデータ転送のタイミングチャートである。
【図１９】本発明の第２の実施の形態を示すブロック図。
【図２０】１９２０×１０８０ｉのビデオデータと１２８０×７２０ｐのビデオデータとのメモリの格納を示す説明図。
【図２１】７２０×５７６ｐのビデオフォーマットを表示に対応させて表現した説明図。
【図２２】７２０×５７６ｐの伝送フォーマットを表示に対応させて表現した説明図。
【図２３】７２０×５７６ｐのビデオデータのメモリ格納を示す説明図。
【図２４】第１変形例における伝送データを画面表示に対応させて表現した説明図。
【図２５】第１変形例においてビデオデータ生成部３６から出力されるビデオデータを示すタイミングチャート。
【図２６】第２変形例における伝送データを画面表示に対応させて表現した説明図。
【図２７】第２変形例においてビデオデータ生成部３６から出力されるビデオデータを示すタイミングチャート。
【符号の説明】
【０１０７】
１１…データ送信モジュール、１２…データ受信モジュール、３２…実効有効データ領域サイズ算出部、３４…ビデオデータ入力Ｉ／Ｆ部、３７…有効データ判定部、３８…ビデオデータ生成部。
【図１】
2010098539.tif 000004
【図２】
2010098539.tif 000005
【図３】
2010098539.tif 000006
【図４】
2010098539.tif 000007
【図５】
2010098539.tif 000008
【図６】
2010098539.tif 000009
【図７】
2010098539.tif 000010
【図８】
2010098539.tif 000011
【図９】
2010098539.tif 000012
【図１０】
2010098539.tif 000013
【図１１】
2010098539.tif 000014
【図１２】
2010098539.tif 000015
【図１３】
2010098539.tif 000016
【図１４】
2010098539.tif 000017
【図１５】
2010098539.tif 000018
【図１６】
2010098539.tif 000019
【図１７】
2010098539.tif 000020
【図１８】
2010098539.tif 000021
【図１９】
2010098539.tif 000022
【図２０】
2010098539.tif 000023
【図２１】
2010098539.tif 000024
【図２２】
2010098539.tif 000025
【図２３】
2010098539.tif 000026
【図２４】
2010098539.tif 000027
【図２５】
2010098539.tif 000028
【図２６】
2010098539.tif 000029
【図２７】
2010098539.tif 000030